(57)【要約】【課題】一度理髪補助具を頭部にセットしたら理髪補助具を移動させないで、効率よく髪染め、髪の脱色および髪を切り整えることができる理髪補助具を提供する。【解決手段】理髪補助具１０は湾曲して弾力性がある細長い支持部２０と、複数の仕切り板３０とを備えている。各仕切り板３０の基部が支持部２０に所定の間隔で取り付けられている。支持部２０の内面２３に細長いスポンジ４０を付設している。さらに、各仕切り板３０の基部の張り出し部が支持部２０の各取り付け箇所の係合部に係合することにより、仕切り板３の基部が支持部２０に着脱自在に取り付けられる。さらに、各仕切り板３０の先端部３３が尖った形状に形成されている。仕切り板３０の数が８〜１２である。【選択図】図１
0003143205.tif 000002
【実用新案登録請求の範囲】
【請求項１】
湾曲して弾力性がある細長い支持部と、複数の仕切り板とを備え、
前記各仕切り板の基部が前記支持部に所定の間隔で取り付けられていることを特徴とする理髪補助具。
【請求項２】
請求項１に記載した理髪補助具であって、
前記支持部の内面に細長いスポンジを付設したことを特徴とする理髪補助具。
【請求項３】
請求項１または２に記載した理髪補助具であって、
前記各仕切り板の基部の張り出し部が前記支持部の各取り付け箇所の係合部に係合することにより、前記仕切り板の基部が前記支持部に着脱自在に取り付けられることを特徴とする理髪補助具。
【請求項４】
請求項１から３までのいずれかに記載した理髪補助具であって、
前記各仕切り板の先端部が尖った形状に形成されていることを特徴とする理髪補助具。
【請求項５】
請求項１から４までのいずれかに記載した理髪補助具であって、
前記仕切り板の数が８〜１２であることを特徴とする理髪補助具。
【考案の詳細な説明】
【技術分野】
【０００１】
本考案は、理髪補助具に関し、特に、効率よく髪染め、髪の脱色および髪を切り整えることができる技術に関するものである。
【背景技術】
【０００２】
従来、髪を染めるときに、仕上がりがムラにならないようにし、かつ、髪の根元まで染色が行える補助具６０として、図７に示すように、アーチ状になっている櫛６１の両端に伸縮性のあるゴム製の紐６２を付けた毛染め補助具６０がある（例えば、特許文献１参照）。この場合、図８に示すように、櫛６１を頭部７１に密着して固定することにより、髪７２の小分けができる。すなわち、櫛６１を首元７３から頭頂部７４にかけて、等間隔に少しずつ移動させ、その都度、髪７２を櫛６１の下側に沿って引き出すことにより、髪７２の根元からムラなく髪染めをすることができる。
【特許文献１】特開２００５−５２５９７号公報
【考案の開示】
【考案が解決しようとする課題】
【０００３】
しかし、上述の従来例では、髪７２を染めるときに、補助具６０を少しずつ移動させる必要があるので、髪７２を染める作業が煩雑になるという問題があった。
そこで、本考案の課題は、上述の問題点を解決し、一度理髪補助具を頭部にセットしたら理髪補助具を移動させないで、効率よく髪染め、髪の脱色および髪を切り整えることができる理髪補助具を提供することである。
【課題を解決するための手段】
【０００４】
上記課題を解決するため、請求項１記載の考案は、湾曲して弾力性がある細長い支持部と、複数の仕切り板とを備え、前記各仕切り板の基部が前記支持部に所定間隔で取り付けられていることを特徴とする理髪補助具である。なお、本明細書では、「理髪」は、髪を染めること、髪を脱色することおよび髪を切り整えることを含む概念である。
【０００５】
請求項１記載の考案により、湾曲して弾力性がある細長い支持部の内面側を人の額に当てて配置し、支持部の弾力により支持部の両端部にて人の頭部（首より上の部分）を挟むようにし、複数の仕切り板により人の髪を複数の部分に分けるように複数の仕切り板を配置すると、髪を複数の部分に分けることができるので、この分けられた部分毎に髪染め、髪の脱色および整髪をすると、髪を根元まで効率よく髪染めし、髪の脱色をし、髪を切り整えることができる。
【０００６】
さらに、請求項２記載の考案は、請求項１に記載した理髪補助具であって、支持部の内面に細長いスポンジを付設したことを特徴とする理髪補助具である。
【０００７】
請求項２記載の考案により、支持部の内面に細長いスポンジを付設したことにより、この細長いスポンジが額に密着するので、髪染め用染料が額から顔に垂れることを防ぐことができる。
【０００８】
さらに、請求項３記載の考案は、請求項１または２に記載した理髪補助具であって、前記各仕切り板の基部の張り出し部が前記支持部の各取り付け箇所の係合部に係合することにより、前記仕切り板の基部が前記支持部に着脱自在に取り付けられることを特徴とする理髪補助具である。
【０００９】
請求項３記載の考案により、理髪補助具を使用しないときは、理髪補助具の支持部から仕切り板を取り外して保存することができる。
【００１０】
さらに、請求項４記載の考案は、請求項１から３までのいずれかに記載した理髪補助具であって、前記各仕切り板の先端部が尖った形状に形成されていることを特徴とする理髪補助具である。
【００１１】
請求項４記載の考案により、仕切り板の尖った形状に形成された先端部を髪の根元に差し込むようにすると、仕切り板によって髪を根元から容易に分けることができる。
【００１２】
さらに、請求項５記載の考案は、請求項１から４までのいずれかに記載した理髪補助具であって、前記仕切り板の数が８〜１２であることを特徴とする理髪補助具である。
【００１３】
請求項５記載の考案により、８〜１２枚の仕切り板で髪を区分することができるので、各区分した箇所の髪を効率よく理髪することができる。
【考案の効果】
【００１４】
請求項１記載の考案によれば、髪を根元まで効率よく理髪することができる。
さらに、請求項２記載の考案によれば、請求項１記載の考案の効果とともに、髪染め作業により、髪染め用染料が額から顔に垂れることを防ぐことができる。
さらに、請求項３記載の考案によれば、請求項１または２記載の考案の効果とともに、仕切り板を支持部から取り外した状態で理髪補助具を保存することができるので、本考案の理髪補助具を保管する場所を狭くすることができる。
さらに、請求項４記載の考案によれば、請求項１から３までのいずれかに記載した考案の効果とともに、髪を根元から理髪することが容易になる。
さらに、請求項５記載の考案によれば、請求項１から４までのいずれかに記載した考案の効果とともに、各箇所の髪を効率よく理髪することができる。
【考案を実施するための最良の形態】
【００１５】
以下、本考案における実施の形態を図面に基づいて説明する。
図１は本考案の実施の形態に係わる理髪補助具を示し、図２は図１の理髪補助具の支持部の正面を示し、図３は図１の理髪補助具の支持部の背面を示し、図４は図1の理髪補助具の仕切り板の側面を示し、図５は図１の支持部および仕切り板の一部分の平面を示す。さらに、図６は図１の理髪補助具の使用状態を示し、（ａ）は全体を示し、（ｂ）は仕切り板で髪が分けられている状態を示す。
【００１６】
図１に示すように、理髪補助具１０は、湾曲して弾力性がある細長い支持部２０と、複数の仕切り板３０とを備えている。支持部２０はその一端部２１から他端部２２まで湾曲している。湾曲の内側が内面２３であり湾曲の外側が外面２４である。一端部２１および他端部２２は支持部２０の下端部であり、支持部２０の中央部が支持部２０の上端部である。また、一端部２１と他端部２２との間隔Ｌは支持部２０の横幅の最も広い箇所の横幅Ｗよりも狭く形成されている。
【００１７】
図５に示すように、各仕切り板３０の基部３２が支持部２０に所定間隔で取り付けられている。
具体的には、図３に示すように、複数の取り付け箇所２５が支持部２０の後側部（背面側部）に所定間隔で形成されている。なお、図３では１０個の取り付け箇所２５が形成されている。
図５に示すように、各仕切り板３０は、板状であり、各仕切り板３０の長手方向は支持部２０の取り付け箇所２５にて支持部２０に直交している。
【００１８】
図４に示すように、各仕切り板３０の本体３１の板面３１ａ、３１ｂ（図５参照）は後方に延びている。各仕切り板３０の上側端部３４が外側になり、下側端部３５が内側になるように、各仕切り板３０は湾曲し、各仕切り板３０の先端部３３は、仕切り板３０の後端部であり、尖った形状に形成されている。なお、仕切り板３０の基部３２は仕切り板の前端部であり、基部３２から先端部３３までの長さは、例えば１６〜２０ｃｍであり、仕切り板３０の先端部３３以外の部分の上側端部３４から下側端部３５までの幅は、例えば２〜３ｃｍである。また、先端部３３の上側端部３４から下側端部３５までの幅は先端になるほど狭く形成されている。
【００１９】
図２に示すように、支持部２０の内面２３に細長いスポンジ４０が接着等により付設されている。なお、具体的には、スポンジ４０の外側端部４３が支持部２０の内面２３に付設され、図６（ａ）に示すように、スポンジ４０の内側端部４４（図２参照）は理髪補助具１０を使用する際に額５１に接触する部分である。
また、スポンジ４０は細長く形成され、スポンジ４０の一端部４１は支持部２０の一端部２１の内面２３に付設され、スポンジ４０の他端部４２は支持部２０の他端部２２の内面２３に付設されている。なお、図１に示すように、支持部２０の前端に複数の係止片２７が付設され、係止片２７はスポンジ４０の前側の側面を係止している。また、図３に示す取り付け箇所２５もスポンジ４０の後側の側面を係止している。このため、係止片２７と取り付け箇所２５とでスポンジ４０の両側（前側および後側）の側面を挟むようになっている。また、スポンジ４０の内側端部４４は係止片２７および取り付け箇所２５から突出している。
【００２０】
図５に示すように、各仕切り板３０の基部３２の張り出し部３６が支持部２０の各取り付け箇所２５の係合部２５ｃに係合することにより、仕切り板３０の基部３２が支持部２０に着脱自在に取り付けられる。
具体的には、各取り付け箇所２５は一方の折り曲げ片２５ａおよび他方の折り曲げ片２５ｂで囲まれた係合部２５ｃを備えている。また、一方の折り曲げ片２５ａと他方の折り曲げ片２５ｂとの間には溝２５ｄが形成されている。このため、仕切り板３０の張り出し部３６を係合部２５ｃに係合させて仕切り板３０の本体３１を溝２５ｄに配置した状態で仕切り板３０が取り付け箇所２５に取り付けられる。なお、図３に示すように、係合部２５ｃは、外側部分２５ｃａの支持部２０の長手方向の幅Ｘが内側部分２５ｃｂの支持部２０の長手方向の幅Ｙよりも広くなっている。このため、図５に示すように、係合部２５ｃの外側部分２５ｃａから仕切り板３０の張り出し部３６を係合部２５ｃに入れると、張り出し部３６は内側部分２５ｃｂから落下しない。
さらに、張り出し部３６には突起３６ａが形成され、この突起３６ａが係合部２５ｃの凹部２５ｅに嵌合するように形成されている。このため、突起３６ａが凹部２５ｅに嵌合することにより、張り出し部３６が係合部２５ｃに確実に係合される。
また、仕切り板３０の数は８〜２１枚である。
【００２１】
なお、支持部２０の一端部２１と他端部２２との間隔は支持部２０を装着する顔５３（頭部５０の一部分である。図６（ａ）参照）の横幅より小さく形成されている。このため、図６（ａ）のように支持部２０を額５１から顔５３の両側面（耳よも前）に装着する場合には、一端部２１と他端部２２との間隔を広げて顔５３の両側面に装着することになるため、支持部２０の弾力により支持部２０はスポンジ４０を介して顔５３の両側面に押し付けられるので、支持部２０が顔５３の両側面から外れて落下することはない。
【００２２】
なお、図２に示すように、支持部２０の一端部２１に貫通孔２６が形成され、貫通孔２６に対応する貫通孔４５がスポンジ４０に形成されている。貫通孔２６、４５の径は約５〜６ｍｍであり、図示しない紐を通すことができる大きさである。
また、図４に示すように、各仕切り板３０の先端部３３にも貫通孔３７が形成されている。なお、貫通孔３７の径は約５〜６ｍｍであり、図示しない紐を通すことができる大きさである。
【００２３】
以上の構成の理髪補助具１０は、以下の動作をする。
図６（ａ）に示すように、湾曲して弾力性がある細長い支持部２０の内面２３（図２参照）側に付設されたスポンジ４０を人の頭部５０（首５４より上の部分）（図６（ａ）参照）の額５１に密着させて配置し、支持部２０の弾力により支持部２０の両端部２１、２２にて人の頭部５０を挟むようにし、複数の仕切り板３０により人の頭部５０の髪５２を複数の部分に分けるように複数の仕切り板３０を配置すると（図６（ｂ）参照）、髪５２を複数の部分に分けることができるので、この分けられた部分毎に髪染め、髪の脱色および整髪をすると、髪５２を根元まで効率よく髪染めし、髪の脱色をし、髪を切り整えることができる。なお、髪５２を染める際には、ゴム手袋をした手で髪５２を押さえて、刷毛により液状の髪染め用染料を髪５２に塗布することができる。
【００２４】
さらに、支持部２０の内面２３に細長いスポンジ４０を付設したことにより、この細長いスポンジ４０が額５１に密着するので、液状の毛染め用染料が額５１から顔５３に垂れることを防ぐことができる。
【００２５】
さらに、理髪補助具１０を使用しないときは、理髪補助具１０の支持部２０から各仕切り板３０を取り外して保存することができる。
【００２６】
さらに、仕切り板３０の尖った形状に形成された先端部３３を髪５２の根元に差し込むようにすると、仕切り板３０によって髪５２を根元から容易に分けることができる。
【００２７】
また、８〜１２枚の仕切り板３０で髪５２を区分することができるので、各区分した箇所の髪５２を効率よく理髪することができる。
【００２８】
なお、上記実施の形態において、スポンジ４０が使用されているが、スポンジ４０に限られず、スポンジ４０と同様に伸縮性があって、理髪補助具１０を使用して髪５２を染めるときに、液状の髪染め用染料が髪５２から顔５３に垂れることを防ぐことができるものであればよい。
また、係止片２７はなくてもよい。
また、図３の取り付け箇所２５の溝２５ｄは、支持部２０の両方の端部２１、２２に近い箇所において二点鎖線で示すように傾斜させて、図６（ａ）のように理髪補助具１０の支持部２０を額５１から顔５３の両側面に装着したときに、図５に示す取り付け箇所２５に係合する仕切り板３０の上側端部３４（図４参照）が下側端部３５（図４参照）より上側になるようにしてもよい。
また、理髪補助具１０の材質は例えば合成樹脂である。特に、支持部２０を合成樹脂で形成すると容易に湾曲して弾力性がある細長い支持部２０を形成することができる。
【図面の簡単な説明】
【００２９】
【図１】本考案の実施の形態に係わる理髪補助具を示す斜視図である。
【図２】図１の理髪補助具の支持部の正面図である。
【図３】図１の理髪補助具の支持部の背面図である。
【図４】図1の理髪補助具の仕切り板の側面を示す部分図である。
【図５】図１の支持部および仕切り板の一部分の平面を示す部分図である。
【図６】図１の理髪補助具の使用状態を示し、（ａ）は全体を示す斜視図であり、（ｂ）は仕切り板で髪を分けている状態を示す部分平面図である。
【図７】従来例の斜視図である。
【図８】図７の従来例の使用状態を示す説明図である。
【符号の説明】
【００３０】
１０  理髪補助具
２０  支持部
２３  内面
２５  取り付け箇所
２５ｃ  係合部
３０  仕切り板
３３  先端部
３６  張り出し部
４０  スポンジ
【図１】
0003143205.tif 000003
【図２】
0003143205.tif 000004
【図３】
0003143205.tif 000005
【図４】
0003143205.tif 000006
【図５】
0003143205.tif 000007
【図６】
0003143205.tif 000008
【図７】
0003143205.tif 000009
【図８】
0003143205.tif 000010